(57)【要約】      （修正有）【課題】遠方からでも送電鉄塔周りの異常の有無を容易に確認できる地すべり表示器を提供する。【解決手段】取付鉄塔脚部１に取り付けられる表示器本体１０および表示板２１と、絶縁ロープ２２とを具備する。表示器本体１０は、筺体と、筺体内に収容されたかつ表面が２色に色分けされた表示布と、一端が表示布の他端部に固定されるとともに他端が筺体の内面の底面に固定された引張バネとを備える。絶縁ロープ２２の両端は表示布の一端部および土地境界杭３にそれぞれ取り付けられており、地すべりによって土地境界杭３がずれると、表示布が土地境界杭３の移動量に応じた長さだけ絶縁ロープ２２によって引っ張られて、表示布の他端部から先に筺体から引き出される。表示板２１の表面の色は、引き出された表示布の色が遠方からでも見易い色にされている。【選択図】図１
2017028815.tif 000002
【特許請求の範囲】
【請求項１】
送電鉄塔周りの異常の有無を確認するための地すべり表示器であって、
前記送電鉄塔の鉄塔脚部（１）の上方に取り付けられる表示器本体（１０）および表示板（２１）と、
絶縁ロープ（２２）とを具備し、
前記表示器本体が、
筺体（１１）と、
該筺体内に収容された、かつ、前記鉄塔脚部と反対側となる面が２色に色分けされた表示布（１３）と、
一端が前記表示布の他端部に固定されるとともに他端が前記筺体の内面に固定されて該筺体内に設けられた引張バネ（１６）とを備え、
前記鉄塔脚部に最も近い土地境界杭（３）が地すべりによってずれると該土地境界杭の移動量に応じた長さだけ前記表示布が前記絶縁ロープによって引っ張られて該表示布の他端部から先に前記筺体から引き出されるように、該絶縁ロープの一端が該表示布の一端部に取り付けられるとともに該絶縁ロープの他端が前記土地境界杭に取り付けられ、
前記表示板の前記鉄塔脚部と反対側となる面の色が、前記引き出された表示布の色が遠方からでも見易い色にされている、
ことを特徴とする、地すべり表示器。
【請求項２】
上部取付バンド、該上部取付バンドに取り付けられた上部支持板および該上部支持板の先端部に取り付けられた上部滑車を備えた、かつ、前記鉄塔脚部の前記表示器本体よりも上方に該上部取付バンドによって取り付けられる上部ロープ支持具（２３）と、
下部取付バンド、該下部取付バンドに取り付けられた下部支持板および該下部支持板の先端部に取り付けられた下部滑車を備えた、かつ、前記鉄塔脚部の前記表示器本体よりも下方に該下部取付バンドによって取り付けられる下部ロープ支持具（２４）とをさらに具備し、
前記絶縁ロープが、前記表示器本体から前記上部ロープ支持具の前記上部滑車および前記下部ロープ支持具の前記下部滑車の順に通されて前記土地境界杭まで敷設される、
ことを特徴とする、請求項１記載の地すべり表示器。
【請求項３】
取付バンド、該取付バンドに取り付けられた支持板および該支持板の先端部に取り付けられた滑車を備えた、かつ、前記鉄塔脚部の下端部に該取付バンドによって取り付けられるロープ支持具をさらに具備し、
前記絶縁ロープが、前記表示器本体から前記ロープ支持具の前記滑車に通されて前記土地境界杭まで敷設される、
ことを特徴とする、請求項１記載の地すべり表示器。
【発明の詳細な説明】
【技術分野】
【０００１】
本発明は、送電鉄塔周りの異常の有無を確認するのに好適な地すべり表示器に関する。
【背景技術】
【０００２】
送電鉄塔の大半は山地などの傾斜面に建設されており、地すべり危険区域や崩壊危険箇所付近に建っている送電鉄塔もある。
また、地すべりによる影響として最悪のケースとして送電鉄塔倒壊の恐れもあるが、鉄塔基礎２（図４（ａ）参照）に係る引揚荷重を鉄塔基礎２周辺の土量で確保しているため鉄塔敷地内の土砂流出も深刻な問題となるので、大規模自然災害の被害拡大防止対策として送電鉄塔周りの異常（地すべりや崩壊の恐れなど）の有無の確認を必要の都度行っている。
【０００３】
たとえば、地すべりは傾斜２０°前後までの緩い斜面が地表から深さ１〜１０数ｍに渡って一体的に緩慢にすべり動く現象であると捉えて、図４（ａ）に示すように鉄塔基礎２から５〜１０ｍほど離れた位置に設けられた土地境界杭３（鉄塔用地境界杭）の移動量が１０ｃｍ未満の地すべりが発生すると、送電鉄塔への影響はないが、表土（草根を含む安定した土）が流れて雨による浸食が加速する恐れがあるため、簡易な補修を行うとともに定期的に監視する必要がある。
図４（ｂ）に示すように土地境界杭３の移動量が１０ｃｍ以上１５ｃｍ未満の地すべりが発生すると、送電鉄塔への影響はないが、雨による浸食で次の地すべりが発生する恐れあるため、応急処置として土嚢などを設置するとともに監視回数を増やす必要がある。
図４（ｃ）に示すように土地境界杭３の移動量が１５ｃｍ以上４０ｃｍ未満の地すべりが発生すると、鉄塔基礎２の引揚荷重に対して必要な設計土量が減少し、電気設備の技術基準で示される安全率を確保できなくなる恐れがあるため、計画的に設備対策を実施する必要がある。
図４（ｄ）に示すように土地境界杭３の移動量が４０ｃｍ以上の地すべりが発生すると、鉄塔基礎２の引揚荷重に対する必要な設計土量だけでなく送電鉄塔の支持力に対しても影響の恐れがあるため、早急に設備対策を実施する必要がある。
【０００４】
従来は、このような送電鉄塔周りの異常の有無の確認は、確認が必要となる雨量や震度を数値的に定めて実施したり、送電線路付近での造成状況を定期的に車両で巡視して実施したりしているが、市街地以外では送電鉄塔周りを樹木が覆っており車両での巡視では鉄塔敷地の状況を遠方からでは確認できないため、地すべりや崩壊の恐れが予想される送電鉄塔については鉄塔敷地まで行って状況を確認している。
【０００５】
下記の特許文献１には、地すべりが発生すると、地表に打ち込まれた棒が移動し、記録器を兼ねたドラムから鋼条が繰り出され、その繰り出し量が計測されて異常発生日時と共に記録される地すべり計測装置が開示されている（公報の段落０００２，０００３および図６参照）。
【先行技術文献】
【特許文献】
【０００６】
【特許文献１】特開平０９−２５７５２７号公報
【発明の概要】
【発明が解決しようとする課題】
【０００７】
しかしながら、上述した従来の送電鉄塔周りの異常の有無の確認手法では、送電鉄塔周りの状況を必要の都度確認することはできるが、送電線路付近の造成に対する車両による巡視時や作業などで近くを通り掛った時には確認できない場合があるという問題があった。
【０００８】
上記の特許文献１に開示された地すべり計測装置は、地すべりが発生した際の鋼条の繰り出し量を計測して異常発生日時と共に記録するものであるため、記録器を兼ねたドラムの構造が複雑であり、高価につくことが避けられないという問題がある（公報の段落０００４参照）。
【０００９】
本発明の目的は、遠方からでも送電鉄塔周りの異常の有無を容易に確認することができる地すべり表示器を提供することにある。
【課題を解決するための手段】
【００１０】
本発明の地すべり表示器は、送電鉄塔周りの異常の有無を確認するための地すべり表示器であって、前記送電鉄塔の鉄塔脚部（１）の上方に取り付けられる表示器本体（１０）および表示板（２１）と、絶縁ロープ（２２）とを具備し、前記表示器本体が、筺体（１１）と、該筺体内に収容された、かつ、前記鉄塔脚部と反対側となる面が２色に色分けされた表示布（１３）と、一端が前記表示布の他端部に固定されるとともに他端が前記筺体の内面に固定されて該筺体内に設けられた引張バネ（１６）とを備え、前記鉄塔脚部に最も近い土地境界杭（３）が地すべりによってずれると該土地境界杭の移動量に応じた長さだけ前記表示布が前記絶縁ロープによって引っ張られて該表示布の他端部から先に前記筺体から引き出されるように、該絶縁ロープの一端が該表示布の一端部に取り付けられるとともに該絶縁ロープの他端が前記土地境界杭に取り付けられ、前記表示板の前記鉄塔脚部と反対側となる面の色が、前記引き出された表示布の色が遠方からでも見易い色にされていることを特徴とする。
ここで、上部取付バンド、該上部取付バンドに取り付けられた上部支持板および該上部支持板の先端部に取り付けられた上部滑車を備えた、かつ、前記鉄塔脚部の前記表示器本体よりも上方に該上部取付バンドによって取り付けられる上部ロープ支持具（２３）と、下部取付バンド、該下部取付バンドに取り付けられた下部支持板および該下部支持板の先端部に取り付けられた下部滑車を備えた、かつ、前記鉄塔脚部の前記表示器本体よりも下方に該下部取付バンドによって取り付けられる下部ロープ支持具（２４）とをさらに具備し、前記絶縁ロープが、前記表示器本体から前記上部ロープ支持具の前記上部滑車および前記下部ロープ支持具の前記下部滑車の順に通されて前記土地境界杭まで敷設されてもよい。
取付バンド、該取付バンドに取り付けられた支持板および該支持板の先端部に取り付けられた滑車を備えた、かつ、前記鉄塔脚部の下端部に該取付バンドによって取り付けられるロープ支持具をさらに具備し、前記絶縁ロープが、前記表示器本体から前記ロープ支持具の前記滑車に通されて前記土地境界杭まで敷設されてもよい。
【発明の効果】
【００１１】
本発明の地すべり表示器は、以下に示す効果を奏する。
（１）表示器本体および表示板を送電鉄塔の鉄塔脚部の腕金付近に取り付けることにより、筺体から引き出された表示布を遠方からでも見ることができるため、山間部などに設置されている送電鉄塔でも現地に行かずに、また、定期的に実施しているヘリコプターによる巡視でも、送電鉄塔周りの異常を確認することができる。
（２）既存の設備を有効に活用できるため、費用を抑えることができる。
（３）精密機器や電源を必要とせずに構成することができる。
（４）送電鉄塔敷地（社有地）内でも対応することができる。
（５）地形に関係なく取り付けることができる。
【図面の簡単な説明】
【００１２】
【図１】本発明の一実施例による地すべり表示器の構成を示す図であり、（ａ）は通常時の地すべり表示器の状態を示す図であり、（ｂ）は地すべり発生後の地すべり表示器の状態を示す図である。
【図２】図１に示した表示器本体１０の構成を説明するための図である。
【図３】図２に示した表示布１３の機能について説明するための図である。
【図４】地すべりによる土地境界杭３の動きと送電鉄塔への影響について説明するための図である。
【発明を実施するための形態】
【００１３】
上記の目的を、表示器本体および表示板を送電鉄塔の鉄塔脚部の腕金付近に取り付け、地すべりによって土地境界杭がずれると２色に色分けされた表示布が絶縁ロープによって引っ張られて筺体から土地境界杭の移動量に応じた長さだけ引き出されるようにすることにより実現した。
【実施例１】
【００１４】
以下、本発明の地すべり表示器の実施例について図面を参照して説明する。
本発明の一実施例による地すべり表示器は、送電鉄塔の４本の鉄塔脚部１のうちの傾斜２０°前後までの緩い斜面側の鉄塔脚部１（以下、「取付鉄塔脚部１」と称する。）に取り付けられる。
【００１５】
本実施例による地すべり表示器は、図１（ａ）に示すように、表示器本体１０と、表示板２１と、絶縁ロープ２２と、上部ロープ支持具２３と、下部ロープ支持具２４とを具備する。
【００１６】
ここで、表示器本体１０は、図２に示すように、中空矩形体状の筺体１１と、筺体取付バンド１２と、表示布１３と、長方形板状の下部布支持板１４と、長方形板状の上部布支持板１５と、引張バネ１６と、半リング状のロープ取付金具１７とを備える。
また、表示器本体１０は、送電鉄塔付近の道路や送電鉄塔付近の上空などの遠方からでも表示布１３が確認できるように、取付鉄塔脚部１の上方（たとえば、腕金付近）に取り付けられる。
【００１７】
筺体１１は、筺体取付バンド１２によって取付鉄塔脚部１に取り付けられる（図１（ａ）参照）。
筺体１１の上面の中央部には、表示布１３を上端部から先に筺体１１内から引き出すための貫通孔（開口面が長方形）が形成されている。
【００１８】
表示布１３は、幅１０〜１５ｃｍおよび長さ６０ｃｍの帯状ものであり、地すべり表示器を取付鉄塔脚部１に取り付ける際には筺体１１内に折り畳まれて収納されている。
表示布１３は、上端部が絶縁ロープ２２によって引っ張られて筺体１１内から引き出された状態では表面が鉄塔脚部１と反対側を向くようにされている。
また、地すべりに対する緊急度を容易に判断できるとともに色を単純にして遠方からでも地すべりの程度を一目で確認できるように、表示布１３の表面の左端の上端から１０ｃｍと右端の上端から４０ｃｍとの間を結ぶ直線（以下、「色分け線」と称する。）を境として２色に色分けされている。
たとえば、表示布１３の表面の色分け線よりも上の部分は「要注意」を示す緑色（または青色）にされ、表示布１３の表面の色分け線よりも下の部分は「要対応」を示す赤色にされているとともに、表示布１３の筺体１１内から引き出された部分全体に対する緑色および赤色の部分の占有面積により要注意度（緑色の部分が大きいほど要注意度が小さい）および要対応度（赤色の部分が大きいほど要対応度が大きい）が一目で判断できるようにされている。
なお、表示布１３は横向きに２段で色分けしてもよい。
【００１９】
下部布支持板１４の上面には、表示布１３の下端部が取り付けられている。
下部布支持板１４は、表示布１３の上端部が絶縁ロープ２２によって引っ張られて筺体１１内から引き出される際に表示布１３全部が筺体１１から抜け出ないようにするためのストッパとして機能するように、筺体１１の貫通孔を貫通しない大きさにされている。
【００２０】
上部布支持板１５の下面には、表示布１３の上端部が取り付けられている。
上部布支持板１５は、筺体１１の貫通孔を貫通しない大きさにされている。
【００２１】
引張バネ１６は、下端が筺体１１の内面の底面の中央部に固定され、上端が下部布支持板１４の下面の中央部に固定されて、筺体１１内に設けられている。
これにより、表示布１３の下端部は、常時、下部布支持板１４を介して引張バネ１６によって下方に引っ張られている。
引張バネ１６の引張力は、表示布１３の大部分が筺体１１内から引き出された状態でも風によって千切られて飛んでいかないように、たとえば１５ｋｇ＝５０ｍ（地すべり表示器が取り付けられる高さ）×０．００６ｍ（引張バネ１６の太さ）×５０ｋｇ／ｍ2（風速２０ｍ／ｓ時の風圧））にされている。
なお、引張バネ１６を使用する理由は、地すべり補修後に地すべり表示器を再使用することを考慮したからである。
【００２２】
ロープ取付金具１７は、両端部が上部布支持板１５の上面に取り付けられている。
【００２３】
表示板２１は、図１（ａ）に示すように取付鉄塔脚部１に巻き付けたのち下部が筺体取付バンド１２によって締め付けられるとともに上部が上部ロープ支持具２３の後述の上部取付バンドによって締め付けられることにより、取付鉄塔脚部１に取り付けられる。
表示板２１の表面（鉄塔脚部１と反対側の面）は、表示布１３の緑色および赤色が遠方からでも見易い色（たとえば、黄色）にされている。
【００２４】
絶縁ロープ２２の一端は、表示器本体１０のロープ取付金具１７に取り付けられている。
絶縁ロープ２２の他端は、表示器本体１０から上部ロープ支持具２３の後述の上部滑車および下部ロープ支持具２４の後述の下部滑車の順に通されて取付鉄塔脚部１に最も近い土地境界杭３まで敷設されて土地境界杭３に取り付けられる。
【００２５】
上部ロープ支持具２３は、上部取付バンドと、上部取付バンドに取り付けられた矩形板状の上部支持板と、上部支持板の先端部に取り付けられた上部滑車とを備え、取付鉄塔脚部１の表示器本体１０よりも上方に上部取付バンドによって取り付けられる。
【００２６】
下部ロープ支持具２４は、下部取付バンドと、下部取付バンドに取り付けられた矩形板状の下部支持板と、下部支持板の先端部に取り付けられた下部滑車とを備え、取付鉄塔脚部１の表示器本体１０よりも下方（たとえば、鉄塔基礎２付近）に下部取付バンドによって取り付けられる。
【００２７】
次に、本実施例による地すべり表示器の使用方法について説明する。
まず、地すべり危険区域または崩壊危険区域付近の送電鉄塔を選定したのち、選定した送電鉄塔の鉄塔敷地を含めた周辺の地形から危険度の高い箇所を選定する。
【００２８】
続いて、選定した送電鉄塔の選定した危険度の高い箇所側の鉄塔脚部を取付鉄塔脚部１として、取付鉄塔脚部１の腕金付近に表示板２１を巻き付けたのち、表示板２１の上端部および下端部に上部ロープ支持具２３および表示器本体１０をそれぞれ取り付けるとともに、下部ロープ支持具２４を取付鉄塔脚部１の鉄塔基礎２付近に取り付ける。
【００２９】
続いて、絶縁ロープ２２の他端を表示器本体１０から上部ロープ支持具２３の上部滑車および下部ロープ支持具２４の下部滑車の順に通して土地境界杭３まで敷設したのち土地境界杭３に取り付ける。
【００３０】
これにより、地すべりが発生して土地境界杭３がずれると、図１（ｂ）に矢印で示すように絶縁ロープ２２が土地境界杭３によって引っ張られる結果、表示布１３が土地境界杭３のずれ量に応じた長さだけ筺体１１内から引き出される。
【００３１】
すなわち、地すべりが発生していない状態では、表示布１３は、図３（ａ）に示すように表示器本体１０の筺体１１内に収納されたままとなっている。
【００３２】
その後、地すべりが発生して土地境界杭３が８ｃｍほどずれると（図４（ａ）参照）、図３（ｂ）に示すように表示布１３の上端部が絶縁ロープ２２によって上方に引っ張られて筺体１１内から８ｃｍほど引き出される。
その結果、遠方から地すべり表示器を見ても、全体が緑色の表示布１３が筺体１１内から引き出されていることが一目で確認できるため（図２参照）、要注意度が小さい地すべりが発生したことを容易に確認することができる。
【００３３】
同様に、地すべりが発生して土地境界杭３が１３ｃｍほどずれると（図４（ｂ）参照）、図３（ｃ）に示すように表示布１３の上端部が絶縁ロープ２２によって上方に引っ張られて筺体１１内から１３ｃｍほど引き出される。
その結果、遠方から地すべり表示器を見ても、緑色の中に先が尖った赤色の部分が下方に少し交じった表示布１３が筺体１１内から引き出されていることが一目で確認できるため（図２参照）、要注意度が大きいが要対応度が極めて小さい地すべりが発生したことを容易に確認することができる。
【００３４】
地すべりが発生して土地境界杭３が３５ｃｍほどずれると（図４（ｃ）参照）、図３（ｄ）に示すように表示布１３の上端部が絶縁ロープ２２によって上方に引っ張られて筺体１１内から３５ｃｍほど引き出される。
その結果、遠方から地すべり表示器を見ても、緑色の部分と赤色の部分とがほとんど同じ面積となった表示布１３が筺体１１内から引き出されていることが一目で確認できるため（図２参照）、要対応度が大きい地すべりが発生したことを容易に確認することができる。
【００３５】
地すべりが発生して土地境界杭３が６０ｃｍほどずれると（図４（ｄ）参照）、図３（ｅ）に示すように表示布１３の上端部が絶縁ロープ２２によって上方に引っ張られて筺体１１内から６０ｃｍほど引き出される。
その結果、遠方から地すべり表示器を見ると、緑色の部分の面積に比べて赤色の部分の面積が広くなった表示布１３が筺体１１内から引き出されていることが一目で確認できるため（図２参照）、要対応度が非常に大きい地すべりが発生したことを容易に確認することができる。
【００３６】
以上の説明では、表示布１３を絶縁ロープ２２によって筺体１１内から上方に引き出すようにしたが、表示布１３を絶縁ロープ２２によって筺体１１内から下方に引き出すようにしてもよい。
また、この場合には、上部ロープ支持具２３は不要となる。また、表示器本体１０は、逆さにして取付鉄塔脚部１の上方に取り付ければよく、また、表示板２１は、上端部を表示器本体１０の筺体取付バンド１２によって締め付けるとともに下端部を別途用意した表示板取付バンドによって締め付けることにより、取付鉄塔脚部１の上方に取り付ければよい。
また、表示布１３の色分けは上下逆にして、表示布１３の表面の色分け線よりも下の部分は「要注意」を示す緑色（または青色）にし、表示布１３の表面の色分け線よりも上の部分は「要対応」を示す赤色にする。
【符号の説明】
【００３７】
１  取付鉄塔脚部
２  鉄塔基礎
３  土地境界杭
１０  表示器本体
１１  筺体
１２  筺体取付バンド
１３  表示布
１４  下部布支持板
１５  上部布支持板
１６  引張バネ
１７  ロープ取付金具
２１  表示板
２２  絶縁ロープ
２３  上部ロープ支持具
２４  下部ロープ支持具
【図１】
2017028815.tif 000003
【図２】
2017028815.tif 000004
【図３】
2017028815.tif 000005
【図４】
2017028815.tif 000006